【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
互いに異なる画角を有する複数の画像の撮影条件情報を取得する撮影条件取得手段と、
前記複数の画像に含まれる被写体の距離情報を取得する距離情報取得手段と、
画角情報を取得する画角情報取得手段と、
前記撮影条件情報、前記距離情報、および、前記画角情報を用いて算出された解像度の劣化量に基づいて、前記複数の画像から前記画角情報に対応する画像を生成する画像生成手段と、を有することを特徴とする画像処理装置。
【請求項２】
前記複数の画像における視点の位置を互いに合わせる位置合わせ手段を更に有することを特徴とする請求項１に記載の画像処理装置。
【請求項３】
前記撮影条件情報、前記距離情報、および、前記画角情報に基づいて重みを決定する重み決定手段を更に有し、
前記画像生成手段は、前記重みに基づいて前記画角情報に対応する前記画像を生成することを特徴とする請求項１または２に記載の画像処理装置。
【請求項４】
前記重み決定手段は、
前記撮影条件情報、前記距離情報、および、前記画角情報に基づいて、前記複数の画像の解像度の劣化量を算出し、
前記解像度の劣化量に基づいて前記重みを決定することを特徴とする請求項３に記載の画像処理装置。
【請求項５】
撮影モードを選択するモード選択手段を更に有し、
前記撮影モードは、解像度優先モードおよびＳ／Ｎ優先モードを含み、
前記重み決定手段は、前記モード選択手段により選択された前記撮影モードに応じて前記重みを決定することを特徴とする請求項３または４に記載の画像処理装置。
【請求項６】
前記重み決定手段は、更に前記複数の画像の特徴量に基づいて、前記重みを決定することを特徴とする請求項３に記載の画像処理装置。
【請求項７】
前記複数の画像の特徴量は、該複数の画像のエッジ強度であることを特徴とする請求項６に記載の画像処理装置。
【請求項８】
前記撮影条件情報、前記距離情報、および、前記画角情報に基づいて、前記複数の画像にボケを付加するボケ付加手段を更に有し、
前記画像生成手段は、前記ボケ付加手段によりボケを付加された複数の画像から前記画角情報に対応する前記画像を生成することを特徴とする請求項１または２に記載の画像処理装置。
【請求項９】
前記ボケ付加手段は、
前記撮影条件情報、前記距離情報、および、前記画角情報に基づいて、前記複数の画像の解像度の劣化量を算出し、
前記解像度の劣化量に基づいて前記ボケを付加することを特徴とする請求項８に記載の画像処理装置。
【請求項１０】
前記ボケ付加手段は、前記解像度の劣化量が小さいほど前記ボケを大きくすることを特徴とする請求項９に記載の画像処理装置。
【請求項１１】
前記ボケ付加手段は、前記複数の画像の被写界深度の相違が互いに小さくなるように、前記ボケを付加することを特徴とする請求項８乃至１０のいずれか１項に記載の画像処理装置。
【請求項１２】
前記ボケ付加手段は、前記複数の画像の被写界深度が互いに同一になるように前記ボケを付加することを特徴とする請求項１１に記載の画像処理装置。
【請求項１３】
前記複数の画像は、同一の画角で取得された複数の画像を含むことを特徴とする請求項１乃至１２のいずれか１項に記載の画像処理装置。
【請求項１４】
前記距離情報取得手段は、視点の異なる前記複数の画像に基づいて、前記距離情報を取得することを特徴とする請求項１乃至１３のいずれか１項に記載の画像処理装置。
【請求項１５】
互いに異なる画角を有する複数の画像を撮像する撮像手段と、
前記複数の画像の撮影条件情報を取得する撮影条件取得手段と、
前記複数の画像に含まれる被写体の距離情報を取得する距離情報取得手段と、
画角情報を取得する画角情報取得手段と、
前記撮影条件情報、前記距離情報、および、前記画角情報を用いて算出された解像度の劣化量に基づいて、前記複数の画像から前記画角情報に対応する画像を生成する画像生成手段と、を有することを特徴とする撮像装置。
【請求項１６】
互いに異なる画角を有する複数の画像の撮影条件情報を取得するステップと、
前記複数の画像に含まれる被写体の距離情報を取得するステップと、
画角情報を取得するステップと、
前記撮影条件情報、前記距離情報、および、前記画角情報を用いて算出された解像度の劣化量に基づいて、前記複数の画像から前記画角情報に対応する画像を生成するステップと、を有することを特徴とする画像処理方法。
【請求項１７】
互いに異なる画角を有する複数の画像の撮影条件情報を取得するステップと、
前記複数の画像に含まれる被写体の距離情報を取得するステップと、
画角情報を取得するステップと、
前記撮影条件情報、前記距離情報、および、前記画角情報を用いて算出された解像度の劣化量に基づいて、前記複数の画像から前記画角情報に対応する画像を生成するステップと、をコンピュータに実行させるように構成されていることを特徴とするプログラム。
【請求項１８】
請求項１７に記載のプログラムを記憶していることを特徴とする記憶媒体。
【手続補正２】
【補正対象書類名】明細書
【補正対象項目名】０００７
【補正方法】変更
【補正の内容】
【０００７】
本発明の一側面としての画像処理装置は、互いに異なる画角を有する複数の画像の撮影条件情報を取得する撮影条件取得手段と、前記複数の画像に含まれる被写体の距離情報を取得する距離情報取得手段と、画角情報を取得する画角情報取得手段と、前記撮影条件情報、前記距離情報、および、前記画角情報を用いて算出された解像度の劣化量に基づいて、前記複数の画像から前記画角情報に対応する画像を生成する画像生成手段とを有する。
【手続補正３】
【補正対象書類名】明細書
【補正対象項目名】０００８
【補正方法】変更
【補正の内容】
【０００８】
本発明の他の側面としての撮像装置は、互いに異なる画角を有する複数の画像を撮像する撮像手段と、前記複数の画像の撮影条件情報を取得する撮影条件取得手段と、前記複数の画像に含まれる被写体の距離情報を取得する距離情報取得手段と、画角情報を取得する画角情報取得手段と、前記撮影条件情報、前記距離情報、および、前記画角情報を用いて算出された解像度の劣化量に基づいて、前記複数の画像から前記画角情報に対応する画像を生成する画像生成手段とを有する。
【手続補正４】
【補正対象書類名】明細書
【補正対象項目名】０００９
【補正方法】変更
【補正の内容】
【０００９】
本発明の他の側面としての画像処理方法は、互いに異なる画角を有する複数の画像の撮影条件情報を取得するステップと、前記複数の画像に含まれる被写体の距離情報を取得するステップと、画角情報を取得するステップと、前記撮影条件情報、前記距離情報、および、前記画角情報を用いて算出された解像度の劣化量に基づいて、前記複数の画像から前記画角情報に対応する画像を生成するステップとを有する。
【手続補正５】
【補正対象書類名】明細書
【補正対象項目名】００１０
【補正方法】変更
【補正の内容】
【００１０】
本発明の他の側面としてのプログラムは、互いに異なる画角を有する複数の画像の撮影条件情報を取得するステップと、前記複数の画像に含まれる被写体の距離情報を取得するステップと、画角情報を取得するステップと、前記撮影条件情報、前記距離情報、および、前記画角情報を用いて算出された解像度の劣化量に基づいて、前記複数の画像から前記画角情報に対応する画像を生成するステップと、をコンピュータに実行させるように構成されている。